(57)【要約】【課題】  電磁弁に装備されるコイルモールドのストッパ部材の取付構造の改良を図る。【解決手段】  電磁弁１は、弁室４０を有する弁本体１０の内部に吸引子５０を有し、コイルユニット１００に通電されると、プランジャ６０をスプリング６２に抗して吸引し、弁棒７０の弁部７２が弁シート２２を閉じる。コイルユニットは、コイル１２０を樹脂で封止したコイルモールド１３０を有し、コイルモールド１３０はハウジング２５０内に収容される。ハウジング２５０にプレス加工により突部２５２が形成され、ストッパ部材１６０を嵌装し、プレス加工Ｐ１によりカシメ部２５４を形成してストッパ部材１６０を固定する。【選択図】      図１
2006189109.tif 000002
【特許請求の範囲】
【請求項１】
端部が開口する大径部と有底の小径部を有する弁本体と、弁本体の大径部の開口部を封止する弁座部材と、弁座部材の弁シートを開閉する弁部を有する弁棒と、弁本体の小径部の内側に固定される吸引子と、吸引子を貫通する弁棒に一体に取付けられるプランジャと、吸引子とプランジャの間に配設されてプランジャを吸引子から引き離す方向に付勢するスプリングと、弁本体の外側に嵌装されてストッパ部材により固定されるコイルユニットを備える通電時閉型電磁弁であって、
コイルユニットは、ボビンに巻いた電磁コイルを金型内で樹脂と一体にモールドしたコイルモールドと、コイルモールドを収容する金属製のハウジングとを備え、
ハウジングは、プレス加工されてストッパ部材が固着される突部を有する電磁弁。
【発明の詳細な説明】
【技術分野】
【０００１】
本発明は、空気調和機に使用する電磁弁に関する。
【背景技術】
【０００２】
例えば、下記の特許文献１は、パイプ状の弁本体内に吸引子を固定し、弁本体の外側に取付けるコイルユニットの磁力によりプランジャを吸引して、プランジャと一体の弁体を弁座に当接して閉弁を行う通電時閉型の電磁弁を開示している。
【０００３】
図２は、従来の電磁弁の正面断面図と要部の拡大図である。
全体を符号１で示す電磁弁は、非磁性材の金属パイプをプレス加工して作成される弁本体１０を有する。
【０００４】
弁本体１０の開口端側は大径部に形成されており、開口端に弁座部材２０が固着される。弁座部材２０は弁シート２２を有し、第１の配管３０が取付けられる。弁本体１０の大径部内には弁室４０が形成され、第２の配管３２が取付けられる。
【０００５】
弁本体１０は、弁室４０よりも上部の部分が小径の円筒部１２に一体に形成される。この円筒部１２の外周部には、コイルユニット１００が嵌装される。コイルユニット１００は、ボビン１１０を巻き付けられた電磁コイル１２０を有する。電磁コイルは配線１２２を介して給電を受ける。
【０００６】
弁本体１０の内部には吸引子５０がカシメ部Ｋ１により固定される。吸引子５０を貫通する弁棒７０は、プランジャ６０と一体に結合される。プランジャ６０と吸引子５０の間には、コイルスプリング６２が設けられ、弁棒７０を常時プランジャ６０側に引き上げる。
【０００７】
電気機器である電磁コイル１２０、ボビン１１０、配線１２２等は、金型内で樹脂と一体に成型され、コイルモールド１３０に形成される。このコイルモールド１３０は、電気部品が樹脂内に封止され、結露等から保護される。
【０００８】
コイルモールド１３０は、金属製のハウジング１５０内に組込まれる。ハウジング１５０の上部には、弾性材でつくられたストッパ部材１６０がリベット１７０により取付けられる。
【０００９】
このストッパ部材１６０は、コイルユニット１００を弁本体１０の小径部１２の外周部に嵌装したときに、ストッパ部材１６０の先端部１６２が、弁本体１０の凹部１４に係合してコイルユニットを固定する機能を有する。コイルユニット１００に給電されると、コイル１２０の発生する磁力により吸引子５０は、プランジャ６０を吸引する。この作用により、弁棒７０の弁部７２は、弁シート２２の弁座２０に当接され、閉弁する。
コイルユニット１００の給電が断たれると、コイルスプリング６２の作用により、弁棒７０は引き上げられ、開弁する。
【特許文献１】特開２００３−１５６２６９号公報
【発明の開示】
【発明が解決しようとする課題】
【００１０】
ストッパ部材１６０は、弾性をもつ金属板でつくられる。一方、円筒部１２の頂部に設けられる凹部１４は、円周上に例えば４個設けられる。
【００１１】
コイルユニット１００は、弁本体１０の小径円筒部１２に嵌装され、ストッパ部材１６０の突部６２を凹部１４に係合することにより、コイルユニット１００は位置決めされる。
【００１２】
弾性板でつくられるストッパ部材１６０は、リベット１７０によりハウジング１５０に固着される。
本発明の目的は、ストッパ部材１６０を固着する手段としてのリベットを省略し、部品点数を削減する電磁弁を提供するものである。
【課題を解決するための手段】
【００１３】
本発明の電磁弁は端部が開口する大径部と有底の小径部を有する弁本体と、弁本体の大径部の開口部を封止する弁座部材と、弁座部材の弁シートを開閉する弁部を有する弁棒と、弁本体の小径部の内側に固定される吸引子と、吸引子を貫通する弁棒に一体に取付けられるプランジャと、吸引子とプランジャの間に配設されてプランジャを吸引子から引き離す方向に付勢するスプリングと、弁本体の外側に嵌装されてストッパ部材により固定されるコイルユニットを備える。そして、コイルユニットは、ボビンに巻いた電磁コイルを金型内で樹脂と一体にモールドしたコイルモールドと、コイルモールドを収容する金属製のハウジングとを備え、
ハウジングは、プレス加工されてストッパ部材が固着される突部を有するものである。
【発明の効果】
【００１４】
本発明の電磁弁は以上の手段を備えることにより、ストッパ部材を固着するための部材を別部品とする必要がなく、部品点数の削減を図ることができる。
【発明を実施するための最良の形態】
【００１５】
図１は、本発明の電磁弁の正面断面図と要部の拡大図である。
全体を符号１Ａで示す電磁弁は、非磁性材の金属パイプをプレス加工して作成される弁本体１０を有する。
【００１６】
弁本体１０の開口部端側は大径部に形成されており、開口端に弁座部材２０が固着される。弁座部材２０は弁シート２２を有し、第１の配管３０が取付けられる。弁本体１０の大径部内には弁室４０が形成され、第２の配管３２が取付けられる。
【００１７】
弁本体１０の弁室４０よりも上部は、小径の円筒部１２に形成される。この円筒部１２の外周部には、コイルユニット１００が嵌装される。コイルユニット１００は、ボビン１１０を巻き付けられた電磁コイル１２０を有する。電磁コイルは配線１２２を介して給電を受ける。
【００１８】
弁本体１０の内部には吸引子５０がカシメ部Ｋ１により固定される。吸引子５０を貫通する弁棒７０は、プランジャ６０と一体に結合される。プランジャ６０と吸引子５０の間には、コイルスプリング６２が設けられ、弁棒７０を常時プランジャ６０側に引き上げる。
【００１９】
電気機器である電磁コイル１２０、ボビン１１０、配線１２２等は、金型内で樹脂と一体に成型され、コイルモールド１３０に形成される。このコイルモールド１３０は、電気部品が樹脂内に封止され、結露等から保護される。
【００２０】
コイルモールド１３０は、金属製のハウジング２５０内に組込まれる。ハウジング２５０の上部には、ハウジング２５０をプレス加工する際に同時に押し出し形成される突部２５２が設けられる。この突部２５２に弾性材でつくられたストッパ部材１６０を嵌合し、プレス加工Ｐ１によりカシメ部２５４を形成し、ストッパ部材１６０が固定される。
【００２１】
このストッパ部材１６０は、コイルユニット１００を弁本体１０の小径部１２の外周部に嵌装したときに、ストッパ部材１６０の先端部１６２が、弁本体１０の凹部１４に係合してコイルユニットを固定する機能を有する。コイルユニット１００に給電されると、コイル１２０の発生する磁力により吸引子５０は、プランジャ６０を吸引する。この作用により、弁棒７０の弁部７２は、弁シート２２の弁座２０に当接され、閉弁する。
【００２２】
コイルユニット１００の給電が断たれると、コイルスプリング６２の作用により、弁棒７０は引き上げられ、開弁する。
【図面の簡単な説明】
【００２３】
【図１】本発明の電磁弁の実施例を示す断面図。
【図２】従来の電磁弁の実施例を示す断面図。
【符号の説明】
【００２４】
１Ａ  電磁弁
１０  弁本体
２０  弁座部材
２２  弁シート
４０  弁室
５０  吸引子
６０  プランジャ
６２  スプリング
７０  弁棒
７２  弁部
１００  コイルユニット
１１０  ボビン
１２０  コイル
１３０  コイルモールド
１６０  ストッパ部材
２５０  ハウジング
２５２  突部
【図１】
2006189109.tif 000003
【図２】
2006189109.tif 000004